(57)【要約】【課題】スピニングリールの釣り糸案内機構において、リール全体の大型化を抑えながら、固定軸カバーがスプールに接触するのを防止する。【解決手段】ベールアームを構成する固定軸カバー４６は、外周に釣り糸が案内される案内部４６ａと、固定軸カバー４６のベール４１を挟んで案内部４６ａと逆側の部分が凹んで形成された欠損部４６ｂとを有している。欠損部４６ｂは、固定軸カバー４６のベール４１を挟んで案内部４６ａと逆側の部分が凹んで形成された第１欠損部４６ｃと、ラインローラ４４側に第１欠損部４６ｃの少なくとも一部が連接して設けられスプール４との距離が最小となる部分が凹んで形成された第２欠損部４６ｄとをさらに有している。【選択図】　　　図５
2004121166.tif 000002
【特許請求の範囲】
【請求項１】
第１ロータアーム及び第２ロータアームの先端に糸案内姿勢と糸開放姿勢とに揺動自在に装着され釣り糸をスプールに案内するスピニングリールの釣り糸案内機構であって、
前記第１ロータアーム及び前記第２ロータアームの先端にそれぞれ揺動自在に装着された第１ベール支持部材及び第２ベール支持部材と、
前記第１ベール支持部材に一端が固定された固定軸と、
前記固定軸の他端に前記第１ベール支持部材と間隔を隔てて設けられた固定軸カバーと、
前記固定軸に回動自在に支持され、周面に前記釣り糸を案内するローラが形成されたラインローラと、
前記第２ベール支持部材と少なくとも前記固定軸及び前記固定軸カバーのいずれかとに両端が固定され、前記スプールの周方向外方に湾曲して配置され、前記釣り糸を前記固定軸カバーを介して前記ラインローラに導くベールとを備え、
前記固定軸カバーは、外周に前記釣り糸が案内される案内部と、前記固定軸カバーの前記ベールを挟んで前記案内部と逆側の部分において前記スプールとの距離が最小となる部分が凹んで形成された欠損部とを有している、
スピニングリールの釣り糸案内機構。
【請求項２】
前記欠損部は、前記固定軸カバーの前記ベールを挟んで前記案内部と逆側の部分が凹んで形成された第１欠損部と、前記ラインローラ側に前記第１欠損部の少なくとも一部が連接して設けられ前記スプールとの距離が最小となる部分が凹んで形成された第２欠損部とをさらに有している、請求項１に記載のスピニングリールの釣り糸案内機構。
【請求項３】
前記固定軸カバーは、前記ベールの一端が円錐の頂点付近の稜線部分と滑らかに接合される円錐形状の円錐部と、前記ラインローラ側に前記円錐部の底面と略同径になるように滑らかに連結された円筒部とをさらに有しており、
前記第１欠損部は前記円錐部に形成され、前記第２欠損部は前記円筒部に形成されている、請求項２に記載のスピニングリールの釣り糸案内機構。
【発明の詳細な説明】
【０００１】
【発明の属する技術分野】
本発明は、釣り糸案内機構、特に、釣り糸をスプールに案内するスピニングリールの釣り糸案内機構に関する。
【０００２】
【従来の技術】
スピニングリールには釣り糸をスプールに案内する釣り糸案内機構が設けられている。釣り糸案内機構は、第１ロータアーム及び第２ロータアームの先端に装着され、ロータとともに回転しかつ糸開放姿勢と糸巻き取り姿勢との間で揺動自在に設けられている。この釣り糸案内機構は、第１ベール支持部材及び第２ベール支持部材と、第１ベール支持部材の先端に一端が固定された固定軸と、固定軸の他端に固定された固定軸カバーと、固定軸カバーに一端が取り付けられた針金状のベールと、ラインローラとを備えている。ベールの一端は固定軸カバーに挿入固定され、ベールの他端は第２ベール支持部材の先端に取り付けられ、ベールはスプールの周方向外方に湾曲して配置されている（たとえば、特許文献１参照）。
【０００３】
このような釣り糸案内機構を有するスピニングリールでは、釣り糸をスプールに巻き取る際に、ベールを糸巻き取り姿勢側に揺動させハンドルを回す。すると、釣り糸はベールに誘導されて固定軸カバーを介してラインローラの外周面に案内されて接触する。そして、釣り糸は、ラインローラに案内されて方向が変えられ、スプール外周に巻き取られる。
【０００４】
【特許文献１】
特開平１０−１１７６４４号公報
【０００５】
【発明が解決しようとする課題】
前記従来の釣り糸案内機構では、たとえば仕掛けに大物等が掛かり釣り糸に大きな張力が作用したとき、釣り糸によりラインローラがスプール側に押し込まれてしまうことがある。このように、ラインローラがスプール側に押し込まれると、固定軸カバーがスプールに接触してしまうことがある。そして、固定軸カバーがスプールに接触すると、釣り糸の滑らかな案内を阻害するおそれが生じる。
【０００６】
そこで、スプールと固定軸カバーとの間に隙間を大きく確保して固定軸カバーがスプールに接触しにくくすることが考えられる。しかし、スプールと固定軸カバーとの間に隙間を大きくすると、リール全体が大型化してしまう。
本発明の課題は、スピニングリールの釣り糸案内機構において、リール全体の大型化を抑えながら、固定軸カバーがスプールに接触するのを防止することにある。
【０００７】
【課題を解決するための手段】
発明１に係るスピニングリールの釣り糸案内機構は、第１ロータアーム及び第２ロータアームの先端に糸案内姿勢と糸開放姿勢とに揺動自在に装着され釣り糸をスプールに案内するスピニングリールの釣り糸案内機構であって、第１ロータアーム及び第２ロータアームの先端にそれぞれ揺動自在に装着された第１ベール支持部材及び第２ベール支持部材と、第１ベール支持部材に一端が固定された固定軸と、固定軸の他端に第１ベール支持部材と間隔を隔てて設けられた固定軸カバーと、固定軸に回動自在に支持され周面に釣り糸を案内するローラが形成されたラインローラと、第２ベール支持部材と少なくとも固定軸及び固定軸カバーのいずれかとに両端が固定されスプールの周方向外方に湾曲して配置され釣り糸を固定軸カバーを介してラインローラに導くベールとを備えている。固定軸カバーは、外周に釣り糸が案内される案内部と、固定軸カバーのベールを挟んで案内部と逆側の部分においてスプールとの距離が最小となる部分が凹んで形成された欠損部とを有している。
【０００８】
この釣り糸案内機構では、固定軸カバーは固定軸カバーのベールを挟んで案内部と逆側の部分においてスプールとの距離が最小となる部分が凹んで形成された欠損部を有している。ここでは、スプールとの距離が最小となる部分が凹んだ欠損部を有しているので、釣り糸に大きな張力が作用しても、スプールと固定軸カバーとの間に隙間が十分に確保され、リール全体を大型化することなく、固定軸カバーがスプールに接触するのを防止することができる。
【０００９】
発明２に係る釣り糸案内機構は、発明１の釣り糸案内機構において、欠損部は、固定軸カバーのベールを挟んで案内部と逆側の部分が凹んで形成された第１欠損部と、ラインローラ側に第１欠損部の少なくとも一部が連接して設けられスプールとの距離が最小となる部分が凹んで形成された第２欠損部とをさらに有している。この場合、固定軸カバーに第１欠損部を形成することにより軽量化を図るとともに、固定軸カバーに第２欠損部を形成することにより固定軸カバーがスプールに接触するのを防止できる。
【００１０】
発明３に係る釣り糸案内機構は、発明２の釣り糸案内機構において、固定軸カバーは、ベールの一端が円錐の頂点付近の稜線部分と滑らかに接合される円錐形状の円錐部と、ラインローラ側に円錐部の底面と略同径になるように滑らかに連結された円筒部とをさらに有しており、第１欠損部は円錐部に形成され、第２欠損部は円筒部に形成されている。この場合、たとえば第１欠損部と第２欠損部とが滑らかに連接している場合、スプールとの距離が最小となりやすい円錐部と円筒部との接続部分にそれぞれ第１欠損部と第２欠損部とが形成されるので、固定軸カバーがスプールに接触するのを確実に防止できる。
【００１１】
【発明の実施の形態】
本発明の一実施形態を採用したスピニングリールは、図１及び図２に示すように、ハンドル１と、ハンドル１を回転自在に支持するリール本体２と、ロータ３と、スプール４とを主に備えている。ロータ３はリール本体２の前部に回転自在に支持されている。スプール４は、釣り糸を外周面に巻き取るものであり、ロータ３の前部に前後移動自在に配置されている。
【００１２】
ハンドル１は、Ｔ字状の把手部１ａと、先端に把手部１ａが回転自在に装着されたＬ字状のクランクアーム１ｂとを有している。
リール本体２は、図１及び図２に示すように、側部に開口を有するリールボディ２ａと、リールボディ２ａから斜め上前方に一体で延びるＴ字状の竿取付脚２ｂとを有している。リールボディ２ａは、図２に示すように、内部に機構装着用の空間を有しており、その空間内には、ロータ３をハンドル１の回転に連動して回転させるロータ駆動機構５と、スプール４を前後移動させて釣り糸を均一に巻き取るためのオシレーティング機構６とが設けられている。
【００１３】
スプール４は、図１及び図２に示すように、後述するロータ３の第１ロータアーム３１及び第２ロータアーム３２の間に配置されており、スプール軸１５の先端部にスプール４の中心部がドラグ機構６０（図２参照）を介して連結されている。
ロータ駆動機構５は、図２に示すように、ハンドル１が回転不能に装着されたハンドル軸１０と、ハンドル軸１０とともに回転するマスターギア１１と、このマスターギア１１に噛み合うピニオンギア１２とを有している。ハンドル軸１０の両端は軸受を介してリール本体２に回転自在に支持されている。ハンドル軸１０の両端にはねじ方向及び径が異なる雌ねじ部がそれぞれ形成されており、両雌ねじ部にハンドル１が回転不能に装着可能である。
【００１４】
ピニオンギア１２は筒状に形成されており、ピニオンギア１２の前部はロータ３の中心部を貫通しており、ナット３３によりロータ３と固定されている。そして、ピニオンギア１２の軸方向の中間部と後端部とが、それぞれ軸受を介してリール本体２に回転自在に支持されている。
オシレーティング機構６はスプール４を前後方向に移動させるための機構である。オシレーティング機構６は、図２に示すように、スプール軸１５の略直下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００１５】
ロータ３は、図２に示すように、ピニオンギア１２に固定された円筒部３０と、円筒部３０の側方に互いに対向して設けられた第１ロータアーム３１及び第２ロータアーム３２と、釣り糸をスプール４に案内するための釣り糸案内機構としてのベールアーム３４とを有している。円筒部３０と第１ロータアーム３１及び第２ロータアーム３２とは、たとえばアルミニウム合金製であり、一体成形されている。円筒部３０の先端中心部分が前述したようにナット３３によりピニオンギア１２の先端部に回転不能に固定されている。
【００１６】
ベールアーム３４は、第１ロータアーム３１及び第２ロータアーム３２の先端に、糸案内姿勢と糸開放姿勢との間で揺動自在に装着されている。ベールアーム３４は、第１ロータアーム３１及び第２ロータアーム３２の先端にそれぞれ揺動自在に装着された第１ベール支持部材４０及び第２ベール支持部材４２を有している。第１ベール支持部材４０は第１ロータアーム３１の外側に揺動自在に装着され、第２ベール支持部材４２は第２ロータアーム３２の内側に装着されている。ベールアーム３４は、図３から図５に示すように、第１ベール支持部材４０及び第２ベール支持部材４２を連結するベール４１と、第１ベール支持部材４０に先端が固定された固定軸４３（図５参照）と、固定軸４３に支持されたラインローラ４４と、固定軸４３を覆う固定軸カバー４６とを有している。
【００１７】
第１ベール支持部材４０は、図４及び図５に示すように、第１ロータアーム３１に揺動自在に装着されたアーム部４０ａと、アーム部４０ａの先端に一体成形されたリング状の装着部４０ｂとを有している。装着部４０ｂには段付きの貫通孔４０ｃ（図５参照）が形成されており、貫通孔４０ｃには固定軸４３を第１ベール支持部材４０に固定するための固定ボルト５２が貫通している。
【００１８】
ベール４１は、図３に示すように、第２ベール支持部材４２及び固定軸カバー４６に両端がかしめ固定された針金状の部材であり、スプール４の周方向外方に凸に湾曲して配置されている。ベール４１は、ベールアーム３４が糸開放姿勢から糸案内姿勢に復帰したときに釣り糸を固定軸カバー４６を介してラインローラ４４に導くためのものである。
【００１９】
固定軸４３は、図５に示すように、固定軸カバー４６と一体で切削加工等の機械加工により形成された部材である。固定軸４３は、固定軸カバー４６と一体の基端から第１ベール支持部材４０に向かって延びており、先端が固定ボルト５２により固定されている。
ラインローラ４４は、図５に示すように、外周面に釣り糸を案内する溝が形成された筒状のローラ４４ａと、ローラ４４ａの内周側に軸方向に間隔を隔てて配置された転がり軸受４４ｂとを有している。ローラ４４ａは軸受４４ｂを介して固定軸４３に回動自在に支持されている。
【００２０】
固定軸カバー４６は、固定軸４３の基端に第１ベール支持部材４０の装着部４０ｂと間隔を隔てて設けられ、鍛造等の型成形により形成されている。固定軸カバー４６は、頂点が中心からずれた略円錐形状の部材であり、固定軸４３の中心を基準にしてリールの後方でかつスプール４の径方向外方に頂点が向いている。固定軸カバー４６の頂点より釣り糸案内側に偏倚してベール４１がかしめ固定され、ベール４１は頂点付近の稜線部分と滑らかに接合されている。
【００２１】
固定軸カバー４６は、図５に示すように、外周に釣り糸が案内される案内部４６ａと、固定軸カバー４６のベール４１を挟んで案内部４６ａと逆側の部分が凹んで形成された欠損部４６ｂとを有している。欠損部４６ｂは、固定軸カバー４６のベール４１を挟んで案内部４６ａと逆側の部分が凹んで形成された第１欠損部４６ｃと、ラインローラ４４側に第１欠損部４６ｃの少なくとも一部が連接して設けられスプール４との距離が最小となる部分が凹んで形成された第２欠損部４６ｄとをさらに有している。また、固定軸カバー４６は、ベール４１の一端が円錐の頂点付近の稜線部分と滑らかに接合される円錐形状の円錐部４６ｅと、ラインローラ４４側に円錐部４６ｅの底面と略同径になるように滑らかに連結された円筒部４６ｆとをさらに有しており、第１欠損部４６ｃは円錐部４６ｅに形成され、第２欠損部４６ｄは円筒部４６ｆに形成されている。
【００２２】
このスピニングリールでは、キャスティング時等の糸繰り出し時には、ベールアーム３４を糸開放姿勢に倒す。これにより第１ベール支持部材４０及び第２ベール支持部材４２は揺動する。この結果、釣り糸は仕掛けの自重によりスプール４の先端側から順に繰り出される。
糸巻き取り時にはベールアーム３４を糸巻き取り姿勢側に戻す。これは、ハンドル１を糸巻き取り方向に回転させると、図示しないベール反転機構の働きにより自動的に行われる。ハンドル１の回転力はハンドル軸１０及びマスターギア１１を介してピニオンギア１２に伝達される。ピニオンギア１２に伝達された回転力は、ピニオンギア１２の前部からロータ３に伝達されるとともに、ピニオンギア１２に噛み合う中間ギア２３によりオシレーティング機構６に伝達される。この結果、ロータ３が糸巻き取り方向に回転するとともにスプール４が前後に往復移動する。
【００２３】
この巻き初めのときにベール４１に接触した釣り糸は、ベール４１により固定軸カバー４６に案内される。固定軸カバー４６に案内された釣り糸は、ラインローラ４４に案内され、さらにラインローラ４４で方向が変えられ、スプール４外周に巻き取られる。
そして、釣り糸がラインローラ４４に案内された状態において、釣り糸に大きな張力が作用すると、釣り糸によりラインローラ４４がスプール４側に押し込まれてしまうことがある。しかし、このスピニングリールでは、固定軸カバー４６には、案内部４６ａと逆側の部分においてスプール４との距離が最小となる部分が凹んだ欠損部４６ｂが形成されている。このため、ラインローラ４４がスプール４側に押し込まれても、スプール４と固定軸カバー４６との間に隙間が十分に確保されるので、リール全体を大型化することなく、固定軸カバー４６がスプール４に接触するのを防止できる。
【００２４】
〔他の実施形態〕
（ａ）　前記実施形態では、フロントドラグ型のスピニングリールを例に説明したが、リアドラグ型のスピニングリールやドラグを有さないスピニングリールやレバードラグ型のスピニングリール等の任意のスピニングリールに本発明を適用できる。
【００２５】
（ｂ）　前記実施形態では、固定軸４３と固定軸カバー４６とは一体成形されていたが、固定軸４３と固定軸カバー４６とを別体で形成してもよい。また、ベール４１は固定軸カバー４６に固定されていたが、これに限定されるものではなく、ベール４１を固定軸４３に固定してもよい。
（ｃ）　前記実施形態では、固定軸カバー４６は型成形である鍛造により形成され、固定軸４３は機械加工である切削加工により形成されていたが、型成形や機械加工の種類はこれらのものに限定されるものではなく、たとえば型成形として鋳造やダイカスト成形等を用いてもよい。
【００２６】
【発明の効果】
本発明によれば、スピニングリールの釣り糸案内機構において、固定軸カバーは、固定軸カバーのベールを挟んで案内部と逆側の部分において、スプールとの距離が最小となる部分が凹んだ欠損部を有しているので、リール全体を大型化することなく、固定軸カバーがスプールに接触するのを防止することができる。
【図面の簡単な説明】
【図１】本発明の一実施形態を採用したスピニングリールの右側面図。
【図２】前記スピニングリールの左側面断面図。
【図３】前記スピニングリールの正面図。
【図４】ベールアームの要部斜視図。
【図５】前記ベールアームの要部断面図。
【符号の説明】
３　ロータ
４　スプール
３１　第１ロータアーム
３２　第２ロータアーム
３４　ベールアーム
４０　第１ベール支持部材
４２　第２ベール支持部材
４１　ベール
４３　固定軸
４４　ラインローラ
４４ａ　ローラ
４６　固定軸カバー
４６ａ　案内部
４６ｂ　欠損部
４６ｃ　第１欠損部
４６ｄ　第２欠損部
４６ｅ　円錐部
４６ｆ　円筒部
【図１】
2004121166.tif 000003
【図２】
2004121166.tif 000004
【図３】
2004121166.tif 000005
【図４】
2004121166.tif 000006
【図５】
2004121166.tif 000007